(57)【要約】【課題】携帯情報端末機に取り付けてカメラ機能を拡大させる補助具において、全ての携帯情報端末機への取付に対応できる汎用性ある補助具を開発すること。【解決手段】本発明の携帯情報端末機用撮影補助具１は、光学機器の接眼部に接続したり、中間レンズを挿入するアダプターを取り付けるための取付部２を備えた補助具本体３と、携帯情報端末機の左側面を保持する左保持手段４と、右側面を保持する右保持手段５と、それらを結合するための固定手段７とから構成されていて、携帯情報端末機を補助具の上下左右で最適な位置に配置して固定することができるので、全ての携帯情報端末機に対応でき、またカメラ部のレンズ光軸と取付部２の中心を簡単に一致させることができる。【選択図】図１
2015087733.tif 000002
【特許請求の範囲】
【請求項１】
携帯情報端末機に取り付けて接近撮影等を補助するための携帯情報端末機用撮影補助具において、携帯情報端末機用撮影補助具は、接近撮影等の中間レンズを取り付けたり顕微鏡や内視鏡等の光学機器の接眼部を取り付けたりするアダプターを接続するための取付部を備えた補助具本体と、携帯情報端末機の左側面を保持するための左保持手段と、携帯情報端末機の右側面を保持するための右保持手段と、補助具本体と左保持手段と右保持手段を結合するための固定手段とから構成され、補助具本体と左保持手段と右保持手段と固定手段とにより、携帯情報端末機のカメラレンズの光軸中心と取付部の中心を簡単に対応させられることを特徴とする携帯情報端末機用撮影補助具。
【請求項２】
固定手段が、左保持手段と右保持手段とを固定するための第１固定手段と、第１固定手段により固定された左保持手段と右保持手段に補助具本体を固定するための第２固定手段と、からなることを特徴とする請求項１に記載の携帯情報端末機用撮影補助具。
【請求項３】
補助具本体が、取付部を備えた補助具本体上部と、補助具本体上部を支持する補助具本体下部と、で構成され、固定手段が、左保持手段と右保持手段と補助具本体下部とを固定する第１固定手段と、補助具本体上部を補助具本体下部に対して揺動できるように固定する第２固定手段と、で構成されていることを特徴とする請求項１に記載の携帯情報端末機用撮影補助具。
【請求項４】
携帯情報端末機用撮影補助具は、携帯情報端末機の下側面を保持するための下保持手段を有することを特徴とする請求項１ないし請求項３のいずれかに記載の携帯情報端末機用撮影補助具。
【請求項５】
左保持手段または右保持手段の少なくとも片方に、携帯情報端末機の下保持手段を一体化させていることを特徴とする請求項２あるいは請求項３のいずれかに記載の携帯情報端末機用撮影補助具。
【請求項６】
左保持手段または右保持手段を補助具本体下部に一体化させていることを特徴とする請求項３に記載の携帯情報端末機用撮影補助具。
【発明の詳細な説明】
【技術分野】
【０００１】      本発明は、携帯情報端末機に取り付けて接近撮影等を補助するための携帯情報端末機用撮影補助具に関するものである。
【背景技術】
【０００２】      携帯情報端末機に取り付けて接近撮影等を補助するための携帯情報端末機用の補助具は現在まで色々な特徴を有するものが開発されている。【０００３】      例えば、特開２０１３−１２５０３８号公報（特許文献１）に記載の補助具は、補助具本体に左保持手段、右保持手段、下保持手段を一体化させた補助具である。その補助具に固定されている接近撮影用レンズの取付部を利用して、携帯情報端末機で簡単に接近撮影を実現する手段が開示されている。（図７（ａ）参照）【０００４】      また、特開２００５−２７８１３４号公報（特許文献２）に記載の補助具は、左保持手段と右保持手段が一体化したコの字型で携帯情報端末機の上下方向に自由にスライド移動可能な補助具本体と、ピン留めで補助具本体の任意な位置に接近撮影用レンズを固定できる取付部とを備えている。これらの構成により、携帯情報端末機のカメラレンズと接近撮影用レンズの光軸中心を合わせて取り付けるための汎用性のある手段が開示されている。（図７（ｂ）参照）【０００５】      また、特開２０１３−９７３８１号公報（特許文献３）には、携帯情報端末機の前後方向に係合して保持する保持手段を持ったコの字型の補助具本体と、補助具本体が携帯情報端末機の周辺部を移動して任意の位置に固定できる固定手段とを持った補助具が記載されている。また補助具は、外付けレンズを移動させて任意の位置に固定できる固定手段を持った外付けレンズの取付部を備えている。これらの構成により、外形の異なる携帯情報端末機に外付けレンズを汎用性高く固定する手段が開示されている。（図７（ｃ）参照）
【先行技術文献】
【特許文献】
【０００６】
【特許文献１】特開２０１３−１２５０３８号公報
【特許文献２】特開２００５−２７８１３４号公報
【特許文献３】特開２０１３−９７３８１号公報
【発明の概要】
【発明が解決しようとする課題】
【０００７】      しかしながら、特許文献１にて開示された補助具は、補助具本体に、左保持手段と、右保持手段と、下保持手段と、接近撮影用レンズの取付部とを一体化した構成で、保持手段を携帯情報端末の形や大きさに合わせて変更する仕組みが無いので、補助具に対応した携帯情報端末にしか使用できず汎用性が無い。【０００８】      また、特許文献２にて開示された補助具は、左保持手段と右保持手段が一体化したコの字型の構成であるので、横幅が一致する携帯情報端末機にしか使用できない。またカメラ部が、携帯情報端末機の周辺部ぎりぎりに配置された場合には、情報携帯端末機のレンズ光軸と、外付けレンズの光軸を合わせるためには、外付けレンズの取付部を携帯情報端末機の本体よりも外側にはみ出して取り付ける必要があり、取付部のピンでの固定が不安定になりこの面でも汎用性に制限がある。【０００９】      また、特許文献３にて開示された補助具は、その形状から携帯情報端末機のカメラ部が携帯情報端末機の周辺部にある場合に対応しており、カメラ部が携帯情報端末機の中央部に配置されている場合には対応できない。【００１０】      本発明は、上述の問題に鑑みてなされたものであり、携帯情報端末機のカメラ部が持つ機能を超えた撮影を実現するために、全ての携帯情報端末機に接続が可能な携帯情報端末機用撮影補助具を提供することを目的とする。
【課題を解決するための手段】
【００１１】      そこで、本発明の携帯情報端末機用撮影補助具は、接近撮影等の中間レンズを取り付けたり顕微鏡や内視鏡等の光学機器の接眼部を取り付けたりするアダプターを接続するための取付部を備えた補助具本体と、携帯情報端末機の左側面を保持するための左保持手段と、携帯情報端末機の右側面を保持するための右保持手段と、それらを結合するための固定手段とから構成され、補助具本体と左保持手段と右保持手段と固定手段とにより、携帯情報端末機のカメラレンズの光軸中心と取付部の中心を簡単に対応させられることを特徴とする。【００１２】      また、本発明の携帯情報端末機用撮影補助具は、補助具本体が、取付部を備えた補助具本体上部と、補助具本体上部を支持する補助具本体下部と、で構成され、固定手段が、左保持手段と右保持手段と補助具本体下部とを固定する第１固定手段と、補助具本体上部を補助具本体下部に対して揺動できるように固定する第２固定手段と、で構成されていることを特徴とする。
【発明の効果】
【００１３】      本発明の携帯情報端末機用撮影補助具は、アダプターを取り付ける取付部を備えた補助具本体と、左保持手段と、右保持手段と、これらの固定手段とで構成しているので、補助具本体に対し左保持手段と右保持手段を自由に動かすことができ、携帯情報端末機を補助具本体の最適な位置に配置して固定手段で固定できるから、大きさや形状の違う全ての携帯情報端末機に対応できる。【００１４】      また、本発明の携帯情報端末機用撮影補助具は、取付部を有する補助具本体を、左保持手段、右保持手段に対して自由に動かす事ができるので、携帯情報端末機のカメラレンズの光軸中心と、アダプターを取り付ける取付部の中心が一致するように位置合わせした状態で固定でき、カメラ部の位置が携帯情報端末機の隅や中心にあっても、カメラレンズの光軸中心と、取付部の中心とを簡単に合致させることができる。したがって、全ての携帯情報端末機で簡単にカメラ機能を超えた接近撮影等を実現できる。【００１５】      また、本発明の補助具本体は、アダプターを取り付ける取付部を備えた補助具本体上部と、揺動する補助具本体上部を支持するための補助具本体下部と、補助具本体上部を補助具本体下部に固定するための第２固定手段に分けて構成しているので、携帯情報端末機を左保持手段と右保持手段で補助具本体下部に確保して固定したあとで、補助具本体上部の取付部を携帯情報端末機のカメラレンズの光軸に合致する位置に移動して第２固定手段で固定することで、補助具本体と携帯情報端末機の接続がスムースに実現できる。
【図面の簡単な説明】
【００１６】
【図１】本発明の第１実施例の携帯情報端末機用撮影補助具を表した図  （ａ）分解図、（ｂ）組立図、（ｃ）断面図
【図２】本発明の第２実施例を表した図  （ａ）分解図、（ｂ）組立図、（ｃ）断面図
【図３】本発明の第３実施例を表した図  （ａ）分解図、（ｂ）組立図、（ｃ）断面図
【図４】下保持部を左保持手段、右保持手段に一体化させた図
【図５】左保持部、右保持部を補助具本体下部に一体化させた図
【図６】携帯情報端末機用撮影補助具の使用例を表した図
【図７】先行技術の実施例を表した図
【発明を実施するための形態】
【００１７】      以下に、本発明の携帯情報端末機用撮影補助具について図面を用いて詳述する。図１には本発明の携帯情報端末機用撮影補助具の第１実施例を図示しており、第２図には携帯情報端末機用撮影補助具の第２実施例を、図３には携帯情報端末機用撮影補助具の第３実施例を図示している。また、図４、図５には構成部品の変形例を図示しており、図６には使用例を図示している。
【実施例１】
【００１８】      まず、本発明の携帯情報端末機用撮影補助具の第１実施例を説明すると、図１（ａ）に図示するように本発明の携帯情報端末機用撮影補助具は、補助具本体３と、左保持手段４と、右保持手段５と、下保持手段６とから構成されている。【００１９】      補助具本体３は、詳しくは後述する内視鏡や顕微鏡の接眼部と連接するためのアダプターを螺合して固定するための取付部２と、左保持手段４、右保持手段５、下保持手段６をガイドするためのガイドカバー８と、左保持手段４、右保持手段５、下保持手段６を一体的に固定するための固定手段７とを備えている。【００２０】      左保持手段４は、携帯情報端末機の左側面を支える左保持部４ａと、固定手段の螺子７ａ（図１（ｃ）参照）をまたいで左保持手段４の左右移動を実現するためのスライド溝４ｂを備えている。また、左保持手段４は、ガイドカバー８に接する部品なので、ガイドカバー８の外側で固定する蝶螺子７ｂによって締め込まれる力が効果的に右保持手段と左保持手段に及ぶように長め（Ｌ＞Ｍ）に作られている。【００２１】      右保持手段５は、携帯情報端末機の右側面を支える右保持部５ａと、固定手段の螺子７ａをまたいで右保持手段５の左右移動を実現するためのスライド溝５ｂを備えている。【００２２】      下保持手段６は、携帯情報端末機の下側面を支える下保持部６ａと、固定手段の螺子７ａをまたいで下保持手段６の上下移動を実現するためのスライド溝６ｂを備えている。【００２３】      下保持手段６は、携帯情報端末機の確実な確保のための部品であるが、左保持手段４と右保持手段５だけでも携帯情報端末機の確保は可能なので、下保持手段６が無くても良い。【００２４】      取付部２は、携帯情報端末機のカメラレンズ部に対応する円柱状の部品で、補助具本体３の携帯情報端末機のカメラレンズの被写体側に設けられ、螺合によりアダプターが取り付けられる。あとで詳しく説明するが、拡大のため等の中間レンズを挿入するアダプター部４０１や、内視鏡や顕微鏡の接眼部に接続するためのアダプター部４０２を取り付けて、携帯情報端末機と内視鏡や顕微鏡の接眼部を結合させて画像を撮影する。【００２５】      固定手段７は、図１（ｃ）に示すように、補助具本体３からのびる螺子７ａと、ガイドカバー８の外側にあり螺子を締め込むことで各保持手段を補助具本体３に固定する蝶螺子７ｂとから構成されている。尚、この実施例では固定手段がガイドカバーに取り付けられている構成を説明しているが、この構成に限定されるわけではなく、左保持手段、右保持手段、下保持手段、補助具本体が固定できればどのような固定手段でもかまわない。【００２６】      ガイドカバー８は、各保持手段がずれたり、補助具本体３から外れることを防止するための部品で、上部接続面８ａと、下部左接続面８ｂ１と下部右接続面８ｂ２で構成される下部接続面８ｂとによって補助具本体３に固定されている。図１（ａ）に示すとおり、ガイドカバー８は補助具本体３との間に、各保持手段を差しこむための隙間空間が用意されており、下部接続面８ｂは、左右に分かれて存在することで、下保持手段６を隙間空間に差し込むための空間８ｃを有している。図１（ｂ）には、携帯情報端末機用撮影補助具を組みあげた図を示している。【００２７】      図１のガイドカバー８の形状は、各保持手段の一体化を助ける効果を実現する部品であり、形状は他の形でも良い。また、携帯情報端末機の確保という目的だけで考えれば、ガイドカバーが無くても実現できる。【００２８】      実施例１で、実際に携帯情報端末機に、本発明の携帯情報端末機用撮影補助具をセットするには、携帯情報端末機用撮影補助具の固定手段７の蝶螺子７ａを緩めて、全ての保持手段がガイドカバー８から外れない範囲で広げた状態の補助具本体３の上に携帯情報端末機を置き、取付部２のアダプター部４０１を取り付けた円形空間の中心２Ｃに携帯情報端末機のカメラレンズの中心ＸＣが合致するように移動して配置する。（図６参照）続いて、左保持部４ａが携帯情報端末機の左側面に当たるまで左保持手段４を移動し、右保持部５ａも携帯情報端末機の右側面に当たるまで右保持手段５を移動し、下保持部６ａが携帯情報端末機の下側面に当たるまで下保持手段６を移動して、携帯情報端末機を全ての保持部で囲みずれないようにして、最後に固定手段７の蝶螺子７ｂを締め込んで固定する。【００２９】      このように携帯情報端末機に対して、全ての保持手段が自由に移動できて固定できる手法を実現できているので、本発明の携帯情報端末機用撮影補助具は簡単に全ての携帯情報端末機に汎用的に取り付けることができる。
【実施例２】
【００３０】      つぎに、本発明の携帯情報端末機用撮影補助具の第２実施例を説明すると、図２（ａ）に図示するように、本発明の携帯情報端末機用撮影補助具は、補助具本体１０３と、左保持手段１０４と、右保持手段１０５と、下保持手段１０６とから構成されている。実施例１との違いは、固定手段を、左保持手段１０４右保持手段１０５下保持手段１０６からなる保持手段の固定手段である第１固定手段１０７と、所定の保持手段と補助具本体１０３との固定手段である第２固定手段１０９とに分割することにより、携帯情報端末機の携帯情報端末機用撮影補助具への固定と、携帯情報端末機用撮影補助具の取付部１０２の中心２Ｃを、携帯情報端末機のカメラレンズの光軸中心ＸＣに対応させる（図６（ｂ）参照）という、２種類の行為に分別することで、よりスムースな装着を実現するものである。【００３１】      補助具本体１０３は、詳しくは後述する内視鏡や顕微鏡の接眼部と連接するためのアダプターを螺合して固定するための取付部１０２と、右保持手段１０５を自由な角度で固定するための第２固定手段１０９と、第２固定手段１０９の構成部品である螺子１０９ａ（図２（ｃ））が上下に自由に移動するためのスライド溝１０３ｂを備えている。【００３２】      左保持手段１０４は、携帯情報端末機の左側面を支える左保持部１０４ａと、第１固定手段１０７の構成部品で右保持手段１０５にある螺子１０７ａをまたいで左保持手段１０４の左右移動を実現するためのスライド溝１０４ｂとを備えている。また、第２固定手段１０９との干渉を避けるために左保持手段１０４の上部は切り欠いている。【００３３】      右保持手段１０５は、携帯情報端末機の右側面を支える右保持部１０５ａと、右保持手段１０５に左保持手段１０４と下保持手段１０６とを結合するための第１固定手段１０７と、第１固定手段１０７を介して右保持手段１０５に結合した保持手段全体と補助具本体１０３との結合を実現する第２固定手段１０９の螺子１０９ａを移動させるためのスライド溝１０５ｂとからなっている。第２固定手段１０９の螺子１０９ａを利用して、スライド溝１０５ｂは、一体化した保持手段全体の補助具本体１０３に対する左右および揺動を実現する。【００３４】      下保持手段１０６は、携帯情報端末機の下側面を支える下保持部１０６ａと、第１固定手段１０７の螺子１０７ａをまたいで下保持手段１０６の上下移動を実現するためのスライド溝１０６ｂを備えている。【００３５】      下保持手段１０６は、携帯情報端末機の確実な確保のための部品であるが、左保持手段１０４と右保持手段１０５だけでも携帯情報端末機の確保は可能なので、下保持手段１０６が無くても良い。【００３６】      取付部１０２は、携帯情報端末機のカメラレンズ部に対応する円柱状の部品で、補助具本体１０３の携帯情報端末機のカメラレンズの被写体側に設けられ、螺合によりアダプターが取り付けられる。あとで詳しく説明するが、拡大のため等の中間レンズを挿入するアダプター部４０１や、内視鏡や顕微鏡の接眼部に接続するためのアダプター部４０２を取り付けて、携帯情報端末機と内視鏡や顕微鏡の接眼部を結合させて画像を撮影する。【００３７】      第１固定手段１０７は、図２（ｃ）に示すように、右保持手段１０５からのびる螺子１０７ａと、螺子を締め込むことで左保持手段１０４と下保持手段１０６とを、右保持手段１０５に固定する蝶螺子１０７ｂとから構成されている。尚、この実施例では固定手段が右保持手段に取り付けられている構成を説明しているが、この構成に限定されるわけではなく、左保持手段、右保持手段、下保持手段が固定できればどのような固定手段でもかまわない。【００３８】      第２固定手段１０９は、図２（ｃ）に示すように、補助具本体１０３のスライド溝１０３ｂを通過して各保持手段側にのびる螺子１０９ａと、螺子を締め込むことで、第１固定手段１０７で一体化した保持手段全体をスライド溝１０５ｂを持った右保持手段１０５を利用して固定する蝶螺子１０９ｂと、から構成されている。尚、この実施例では第２固定手段が補助具本体１０３に取り付けられている構成を説明しているが、この構成に限定されるわけではなく、一体化した保持手段全体と補助具本体１０３が固定できればどのような固定手段でもかまわない。図２（ｂ）は、携帯情報端末機用撮影補助具を組みあげた図である。【００３９】      実施例２で、実際に携帯情報端末機に本発明の携帯情報端末機用撮影補助具をセットするには、携帯情報端末機用撮影補助具の第１固定手段１０７の蝶螺子１０７ｂを緩めて、全ての保持手段が自由な状態の補助具本体１０３の上に、携帯情報端末機を置き、各保持部が携帯情報端末機の各側面に当たるまで移動し、各保持部を利用して携帯情報端末機を確実に確保したところで、第１固定手段１０７の蝶ネジ１０７ｂを締め込んで、左保持手段１０４と下保持手段１０６を右保持手段１０５に固定する。つづいて、第２固定手段１０９の蝶ネジ１０９ｂを緩めて、スライド溝１０３ｂとスライド溝１０５ｂを利用して補助具本体１０３を自由に上下左右、および揺動して、取付部１０２の中心２Ｃを、携帯情報端末機のカメラレンズの光軸中心ＸＣに対応させるように移動して配置し、蝶螺子１０９ｂを締め込んで固定する。（図６（ｂ）参照）【００４０】      このように最初に携帯情報端末機の側面に対して自由に動く各保持手段を、第１固定手段１０７を利用して携帯情報端末機に固定してから、次に補助具本体１０３をスライド溝１０３ｂおよびスライド溝１０５ｂ利用して、上下、左右、揺動に関して自由に移動して固定できる第２固定手段１０９を設けているので、本発明の携帯情報端末機用撮影補助具は、全ての携帯情報端末機のカメラレンズの光軸中心ＸＣと取付部１０２の円形空間の中心２Ｃとを一致させる事がより簡単に汎用性高く実現できる。
【実施例３】
【００４１】      つぎに、本発明の携帯情報端末機用撮影補助具の第３実施例を説明すると、図３（ａ）に図示するように、本発明の携帯情報端末機用撮影補助具は、補助具本体上部２０３ａと、補助具本体下部２０３ｃと、左保持手段２０４と、右保持手段２０５と、下保持手段２０６とから構成されている。実施例１の補助具本体３を、携帯情報端末機用撮影補助具の取付部２０２の中心２Ｃに携帯情報端末機のカメラレンズの光軸中心ＸＣを合わせる作業に対応する補助具本体上部２０３ａと、携帯情報端末機の携帯情報端末機用撮影補助具への固定の作業に対応する補助具本体下部２０３ｃとに分割し、それぞれに独立の固定手段を準備することでよりスムースな装着を実現するものである。【００４２】      補助具本体上部２０３ａは、詳しくは後述する内視鏡や顕微鏡の接眼部と連接するためのアダプターを螺合して接続するための取付部２０２と、第２固定手段２０９の部品である螺子２０９ａを利用して補助具本体上部２０３ａが自由に上下、揺動するためのスライド溝２０３ｂを備えている。【００４３】      補助具本体下部２０３ｃは、左保持手段２０４、右保持手段２０５、下保持手段２０６の一体化をガイドするためのガイドカバー２０８と、これらを固定するための第１固定手段２０７と、補助具本体上部２０３ａと補助具本体下部２０３ｃとを固定するための第２固定手段２０９とを備えている。【００４４】      左保持手段２０４は、携帯情報端末機の左側面を支える左保持部２０４ａと、第１固定手段２０７の螺子２０７ａをまたいで左保持手段２０４の左右移動を実現するためのスライド溝２０４ｂを備えている。【００４５】      右保持手段２０５は、携帯情報端末機の右側面を支える右保持部２０５ａと、第１固定手段２０７の螺子２０７ａをまたいで右保持手段２０５の左右移動を実現するためのスライド溝２０５ｂを備えている。【００４６】      下保持手段２０６は、携帯情報端末機の下側面を支える下保持部２０６ａと、第１固定手段２０７の螺子２０７ａをまたいで下保持手段２０６の上下移動を実現するためのスライド溝２０６ｂを備えている。【００４７】      下保持手段２０６は、携帯情報端末機の確実な確保のための部品であるが、左保持手段２０４と右保持手段２０５だけでも携帯情報端末機の確保は可能なので、下保持手段２０６が無くても良い。【００４８】      取付部２０２は、携帯情報端末機のカメラレンズ部に対応する円柱状の部品で、補助具本体上部２０３ａの携帯情報端末機のカメラレンズの被写体側に設けられ、螺合によりアダプターが取り付けられる。あとで詳しく説明するが、拡大のため等の中間レンズを挿入するアダプター部４０１や、内視鏡や顕微鏡の接眼部に接続するためのアダプター部４０２を取り付けて、携帯情報端末機と内視鏡や顕微鏡の接眼部を結合させて画像を撮影する。【００４９】      第１固定手段２０７は、補助具本体下部２０３ｃに左保持手段２０４と右保持手段２０５と下保持手段２０６とを結合させる手段であり、図３（ｃ）に示すように、補助具本体下部２０３ｃからのびる螺子２０７ａと、ガイドカバー２０８の外側にあり螺子を締め込むことで各保持手段を補助具本体下部２０３ｃに固定する蝶螺子２０７ｂとから構成されている。尚、この実施例では固定手段がガイドカバーに取り付けられている構成を説明しているが、この構成に限定されるわけではなく、左保持手段、右保持手段、下保持手段、補助具本体下部が固定できればどのような固定手段でもかまわない。【００５０】      第２固定手段２０９は、補助具本体下部２０３ｃに補助具本体上部２０３ａを結合させる手段であり、図３（ｃ）に示すように、補助具本体下部２０３ｃからのびる螺子２０９ａと、補助具本体上部２０３ａのスライド溝２０３ｂの外側から螺子を締め込むことで固定する蝶螺子２０９ｂとから構成されている。尚、この実施例では固定手段が補助具本体下部２０３ｃに取り付けられている構成を説明しているが、この構成に限定されるわけではなく、補助具本体上部と補助具本体下部が固定できればどのような固定手段でもかまわない。【００５１】      ガイドカバー２０８は、各保持手段がずれたり、補助具本体下部２０３ｃからはずれることを防止するための部品で、上部接続面２０８ａと下部接続面２０８ｂとで、補助具本体下部２０３ｃに固定されている。図３（ｃ）に示すとおり、ガイドカバー２０８は補助具本体下部２０３ｃと間に、各保持手段を差しこむための隙間空間が用意されており、下部接続面２０８ｂは、２０８ｂ１と２０８ｂ２に左右に分かれて存在することで、下保持手段２０６を隙間空間に差し込むための空間２０８ｃを有している。また、図３（ｂ）に示すとおり、上部接続面２０８ａも２０８ａ１と２０８ａ２とに左右に分かれて存在し、第２固定手段２０９を軸に補助具本体下部２０３ｃ上を自由に移動する補助具本体上部２０３ａとの干渉を避けるための空間２０８ｄを有している。図３（ｂ）は、携帯情報端末機用撮影補助具を組みあげた図である。【００５２】      図３のガイドカバー２０８の形状は、各保持手段の一体化を助ける効果を実現する部品であり、形状は他の形でも良い。また、携帯情報端末機の確保という目的だけで考えれば、ガイドカバーが無くても実現できる。【００５３】      実施例３で、実際に携帯情報端末機に、本発明の携帯情報端末機用撮影補助具をセットするには、携帯情報端末機用撮影補助具の第１固定手段２０７の蝶螺子２０７ｂを緩めて、全ての保持手段が自由な状態の補助具本体下部２０３ｃの上に、携帯情報端末機を置き、各保持部が携帯情報端末機の各側面に当たるまで移動し、各保持部が携帯情報端末機の各側面を確実につかんだところで、第１固定手段２０７の蝶ネジ２０７ｂを締め込んで、各保持手段を補助具本体下部２０３ｃに固定する。つづいて、第２固定手段２０９の蝶ネジ２０９ｂを緩めて、補助具本体上部２０３ａを、スライド溝２０３ｂを利用して自由に上下左右、および揺動して、取付部２０２の中心２Ｃを、携帯情報端末機のカメラレンズの光軸中心ＸＣに対応させる（図６（ｂ）参照）ように移動して配置し、蝶螺子２０９ｂを締め込んで固定する。【００５４】      このように最初に携帯情報端末機の側面に対して自由に動く各保持手段と、第１固定手段２０７を利用して携帯情報端末機を補助具本体下部２０３ｃに確実に固定してから、次にスライド溝２０３ｂを利用して、補助具本体上部２０３ａを自由に上下、左右、揺動して、第２固定手段２０９を利用して固定できる手法を実現しているので、本発明の携帯情報端末機用撮影補助具は、全ての携帯情報端末機のカメラレンズの光軸中心ＸＣと取付部２０２の円形空間の中心２Ｃとを合わせる事がより簡単に汎用性高く実現できる。
【構成部品の変形例】
【００５５】      図４に示すように、取付部１０２、２０２が携帯情報端末機に対して自由に上下左右に動き、揺動する構成の実施例２、実施例３に関しては、構成部品数を減らして携帯情報端末機の固定を実現することが可能である。左保持手段１０４、２０４、右保持手段１０５、２０５のいずれかに下保持手段１０６、２０６の下保持部１０６ａ、２０６ａ、を一体化させることで実施可能となる。
【００５６】      図５に示すように、本発明の携帯情報端末機用撮影補助具は左右の保持手段で携帯情報端末を確保して固定するので、例えば右保持手段２０５に十分な移動量が確保できれば、実施例３に関しては、左保持手段２０４の携帯情報端末機の側面を支える左保持部２０４ａを補助具本体下部２０３ｃに一体化させることで、構成部品数を減らして携帯情報端末機の固定を実現できる。その際、右保持手段２０５の大きな移動量を実現した上で横幅の小さな携帯情報端末機を固定するために、補助具本体下部２０３ｃと左保持部２０４ａが合体した部分に、右保持手段２０５が通過する隙間空間Ｅを作ることで実現可能になる。また、右保持部２０５ａの補助具本体下部２０３ｃへの合体も同様に可能である。
【実際の使用例】
【００５７】      図６には、実際に本発明の携帯情報端末機用撮影補助具を医学用内視鏡に接続した状態を図示している。図１、図２、図３の説明で本発明の携帯情報端末機用撮影補助具で携帯情報端末機を確保する手段を説明してきたが、実際の使用例を説明する。
【００５８】      図６（ａ）のように内視鏡Ｙ等の接眼部に接続し、目視できる接眼部の画像の撮影を望む場合には、各接眼部に合わせた形のアダプター部４０２を撮影したい光学機器の接眼部に固定して、続いて取付部２、１０２，２０２に螺合により取り付けられたアダプター部４０１に固定して、本発明の携帯情報端末機用撮影補助具にセットされた携帯情報端末機Ｘと、内視鏡Ｙを接続して、内視鏡の接眼部画像を携帯情報端末機Ｘのカメラ機能で撮影し、保存、そして手軽に送信、共有することができる。
【００５９】      図６（ｂ）は、本発明の携帯情報端末機用撮影補助具と、アダプター部４０１と、アダプター部４０２と、内視鏡Ｙの接続の断面を図示している。本発明の携帯情報端末機用撮影補助具は、各保持手段と固定手段によって取付部２、１０２，２０２が自由に移動できるので、取付部に螺合したアダプター４０１の中心２ｃを携帯情報端末機Ｘのカメラ部Ｘａのレンズ光軸Ｘｃに簡単に一致させられる。またアダプター４０２はアダプター４０１の同心円形で製作されるので内視鏡Ｙの接眼部の光軸とも一致するので、携帯情報端末機Ｘのカメラでアダプター４０２が確保した接眼部の画像を撮影し、保存、そして手軽に送信、共有することができる。また、接眼部の画像を撮影するのに接近や広角度が必要な場合は、適当なレンズを中間レンズ挿入スペースＺに挿入して撮影すれば良い。
【００６０】      また、撮影したい接眼部を拡大する等、中間レンズの補助が必要ない場合は、アダプター部４０１を省いてアダプター部４０２を取付部２、１０２，２０２に直接取り付けて接続しても良い。
【００６１】      アダプター部４０２の形状を各光学機器の接眼部の形状に合わせて変更することで、顕微鏡でも眼科用のスリットランプでも、接眼部を持つ物であればその接眼部の形に合わせて携帯情報端末機で簡単に撮影できる。
【００６２】      また、上述のとおり本発明の携帯情報端末機用撮影補助具は、各保持手段の自由な動きと固定手段で、全ての携帯情報端末機を簡単に確保できることから、上記のアダプター部４０１とアダプター部４０２との同時使用で、全ての携帯情報端末機であらゆる光学機器の接眼部の撮影、保存、送信、共有を簡単に実現できる。
【００６３】      接眼部撮影ではない通常の撮影で、接近撮影や広角度撮影等の携帯情報端末機のカメラ機能を超えた撮影を望む場合は、アダプター部４０１の中間レンズ挿入スペースＺに中間レンズを挿入したアダプター部４０１を携帯情報端末機用撮影補助具の取付部２、１０２、２０２に螺合により取り付けて、携帯情報端末機Ｘとアダプター部４０１を接続して撮影し、保存、そして手軽に送信、共有することができる。
【００６４】      携帯情報端末機で接眼部を撮影できると、例えば、災害現場で救急救命医が患者の患部を撮影した画像を瞬時に離れた病院にいる専門医と共有できる。また、接眼部を一人で見るのではなく、携帯情報端末機のモニター画面を見ることで近くにいる複数の医療関係者の目で見て確認ができ、複数の目での診断に優位性を発揮する。
【００６５】      内視鏡や顕微鏡などの光学機器には、カメラ接続部が存在するものも多く、既に撮影できる場合も多いが大型なものが多く、専用機種であり汎用性に乏しい。本発明の携帯情報端末機用撮影補助具と、アダプター部４０１と、アダプター部４０２とを使用すれば、光学機器の種類を問わず全ての光学機器の接眼部を携帯情報端末機で撮影できて汎用性が高い。例えば学会や災害現場等で、複数の使用者が複数種類の携帯情報端末機を持参していても、本発明の携帯情報端末機用撮影補助具が一つあれば、接眼部に接続した携帯情報端末機用撮影補助具に、全ての使用者の携帯情報端末機をセットできるので、非常に有意義である。
【００６６】      本発明の携帯情報端末機用撮影補助具ならば、全ての形状に対応可能なので、携帯情報端末機を最新のものに変更する際に、補助具を新たに購入する必要がなく経済的である。
【００６７】      以上、実施例１、実施例２、実施例３で本発明の実施の形態を説明してきたが、説明した実施例の構成に限定されるものではなく、例えば実施例において固定手段に螺子と蝶螺子を利用したが、固定できる手段であれば良く、またガイドカバーの形状も、各保持手段がバラバラにならず一体化できる形状であれば良い。本発明の技術的思想を具体化した構成の全てが含まれるものである。
【符号の説明】
【００６８】１、１０１、２０１、  携帯情報端末機用撮影補助具
２、１０２、２０２、  取付部
２ｃ                  取付部２の中心線
３、１０３、２０３、  補助具本体
４、１０４、２０４、  左保持手段
５、１０５、２０５、  右保持手段
６、１０６、２０６、  下保持手段
７、１０７、２０７、  第１固定手段
８、２０８、          ガイドカバー
１０９、２０９、      第２固定手段
４０１                アダプター１
４０２                アダプター２
Ｅ                    右保持手段の通過溝
Ｘ                    携帯情報端末機
Ｘａ                  携帯情報端末機搭載カメラレンズ部
Ｘｃ                  携帯情報端末機カメラレンズの光軸中心
Ｙ                    内視鏡
Ｚ                    中間レンズ挿入スペース
【図１】
2015087733.tif 000003
【図２】
2015087733.tif 000004
【図３】
2015087733.tif 000005
【図４】
2015087733.tif 000006
【図５】
2015087733.tif 000007
【図６】
2015087733.tif 000008
【図７】
2015087733.tif 000009